(57)【要約】【課題】後加工処理の際に生じる各ページ領域の位置ずれの程度を忠実に可視化できる画像編集装置、方法及びプログラムを提供する。【解決手段】面付けデータ（８４）に含まれる、後加工処理に関する後加工情報（８２）に基づいて、印刷物（３０）に対する後加工処理の際に生じるページ領域（１０８）毎の二次元位置のずれ量（ΔＸ，ΔＹ）を推定する。そして、ずれ量（ΔＸ，ΔＹ）だけシフトした印刷物（３０）上のページ領域（１６８）を示すページ画像（１７０）を、仮想生産物（ＶＰ）上のページ領域（１７２）内にマッピングすることで仮想生産物（ＶＰ）を示すプレビュー画像データを作成する。【選択図】図１０
2014191592.tif 000002
【特許請求の範囲】
【請求項１】
複数のページ領域を有する少なくとも１枚の印刷物に後加工処理を施し、得られる最終生産物を模擬した仮想生産物を可視化する画像編集装置であって、
前記印刷物が形成される用紙上に面付けするための面付けデータ、及び、前記印刷物と前記仮想生産物との間のページ領域の対応関係を示すマッピングデータを取得するデータ取得部と、
前記データ取得部により取得された前記面付けデータに含まれる、前記後加工処理に関する後加工情報に基づいて、前記印刷物に対する前記後加工処理の際に生じるページ領域毎の二次元位置のずれ量を推定する位置ずれ量推定部と、
前記データ取得部により取得された前記マッピングデータを参照し、前記位置ずれ量推定部により推定された前記ずれ量だけシフトした前記印刷物上のページ領域を示すページ画像を、前記仮想生産物上のページ領域内にマッピングすることで前記仮想生産物を示すプレビュー画像データを作成する画像作成部と
を備えることを特徴とする画像編集装置。
【請求項２】
請求項１記載の画像編集装置において、
前記画像作成部は、三次元形状モデルを用いて前記仮想生産物を可視化する前記プレビュー画像データを作成することを特徴とする画像編集装置。
【請求項３】
請求項１又は２に記載の画像編集装置において、
前記後加工情報には、前記用紙の紙厚及び前記印刷物の紙折り情報が含まれ、
前記位置ずれ量推定部は、前記紙厚及び前記紙折り情報を用いて、前記印刷物の紙折り処理の際に生じる前記ずれ量を推定する
ことを特徴とする画像編集装置。
【請求項４】
請求項３記載の画像編集装置において、
前記位置ずれ量推定部は、前記紙折り情報から特定される少なくとも１本の折り線を基準として、前記紙折り処理の際に位置が固定される固定側領域及び固定されない非固定側領域にそれぞれ区画し、前記非固定側領域に属する各ページ領域に蓄積される前記ずれ量を推定することを特徴とする画像編集装置。
【請求項５】
請求項１又は２に記載の画像編集装置において、
前記後加工情報には、前記印刷物の断裁情報が含まれ、
前記位置ずれ量推定部は、前記断裁情報を用いて、前記印刷物の断裁処理の際に生じる前記ずれ量を推定する
ことを特徴とする画像編集装置。
【請求項６】
請求項１〜５のいずれか１項に記載の画像編集装置において、
前記画像作成部は、ユーザによる指示操作に応じて、裁ち落とし領域が存在する又は存在しない前記仮想生産物を示す前記プレビュー画像データを作成する
ことを特徴とする画像編集装置。
【請求項７】
請求項１〜６のいずれか１項に記載の画像編集装置において、
前記画像作成部により作成された前記プレビュー画像データに基づいて、前記仮想生産物を表示する表示部を更に備えることを特徴とする画像編集装置。
【請求項８】
複数のページ領域を有する少なくとも１枚の印刷物に後加工処理を施し、得られる最終生産物を模擬した仮想生産物を可視化する画像編集装置を用いた方法であって、
前記印刷物が形成される用紙上に面付けするための面付けデータ、及び、前記印刷物と前記仮想生産物との間のページ領域の対応関係を示すマッピングデータを取得する取得ステップと、
取得された前記面付けデータに含まれる、前記後加工処理に関する後加工情報に基づいて、前記印刷物に対する前記後加工処理の際に生じるページ領域毎の二次元位置のずれ量を推定する推定ステップと、
取得された前記マッピングデータを参照し、推定された前記ずれ量だけシフトした前記印刷物上のページ領域を示すページ画像を、前記仮想生産物上のページ領域内にマッピングすることで前記仮想生産物を示すプレビュー画像データを作成する作成ステップと
を備えることを特徴とする画像編集方法。
【請求項９】
複数のページ領域を有する少なくとも１枚の印刷物に後加工処理を施し、得られる最終生産物を模擬した仮想生産物を可視化するためのプログラムであって、
前記印刷物が形成される用紙上に面付けするための面付けデータ、及び、前記印刷物と前記仮想生産物との間のページ領域の対応関係を示すマッピングデータを取得する取得ステップと、
取得された前記面付けデータに含まれる、前記後加工処理に関する後加工情報に基づいて、前記印刷物に対する前記後加工処理の際に生じるページ領域毎の二次元位置のずれ量を推定する推定ステップと、
取得された前記マッピングデータを参照し、推定された前記ずれ量だけシフトした前記印刷物上のページ領域を示すページ画像を、前記仮想生産物上のページ領域内にマッピングすることで前記仮想生産物を示すプレビュー画像データを作成する作成ステップと
をコンピュータに実行させることを特徴とするプログラム。
【発明の詳細な説明】
【技術分野】
【０００１】
この発明は、複数のページ領域を有する少なくとも１枚の印刷物に後加工処理を施し、得られる最終生産物を模擬した仮想生産物を可視化する画像編集装置、方法及びプログラムに関する。
【背景技術】
【０００２】
近時、印刷製版の分野において、中間成果物を生成せずに電子データから刷版を直接形成するＣＴＰ（Computer To Plate）が普及している。そして、この電子データを用いて、印刷処理及び後加工処理を経て最終的に得られる生産物（以下、最終生産物）の形態を模擬した仮想生産物を作成・可視化するプルーフ技術が種々提案されている。これにより、校正のための印刷が不要となると共に、最終生産物の仕上がりを早期にイメージできるので一層好ましい。
【０００３】
特許文献１には、コンテンツと幾何データから三次元パラメトリックモデルを生成し、文書の三次元電子出力表現を表示する方法等が提案されている。特に、クリープ、ボトリング等の物理的収差を考慮することで、より正確な表現が得られる旨が記載されている（同文献の段落［００６０］参照）。
【０００４】
特許文献２には、面付けされた印刷用データに対してラスタライズ処理を施した後、ページ単位で切り出してマッピングすることで、三次元プレビューデータを作成・表示する装置等が提案されている。
【先行技術文献】
【特許文献】
【０００５】
【特許文献１】特表２０１０−５３７２９８号公報
【特許文献２】特開２０１１−２４２９７７号公報
【発明の概要】
【発明が解決しようとする課題】
【０００６】
しかしながら、特許文献１及び２には、物理的収差を反映させるための具体的手段や、後加工システムによる加工誤差の影響について何ら開示されていない。また、複雑な後加工処理を施す場合、のど側（又は小口側）に沿った移動処理や、固定点を中心とする回転処理のみでは、実際に起こり得る物理的収差又は加工誤差を適切に表現できないことがある。換言すれば、最終生産物における各ページ領域の位置を忠実に再現するという観点で、改良の余地が十分にあった。
【０００７】
本発明は上記した問題を解決するためになされたもので、後加工処理の際に生じる各ページ領域の位置ずれの程度を忠実に可視化できる画像編集装置、方法及びプログラムを提供することを目的とする。
【課題を解決するための手段】
【０００８】
本発明に係る画像編集装置は、複数のページ領域を有する少なくとも１枚の印刷物に後加工処理を施し、得られる最終生産物を模擬した仮想生産物を可視化する装置であって、上記印刷物が形成される用紙上に面付けするための面付けデータ、及び、上記印刷物と上記仮想生産物との間のページ領域の対応関係を示すマッピングデータを取得するデータ取得部と、上記データ取得部により取得された上記面付けデータに含まれる、上記後加工処理に関する後加工情報に基づいて、上記印刷物に対する上記後加工処理の際に生じるページ領域毎の二次元位置のずれ量を推定する位置ずれ量推定部と、上記データ取得部により取得された上記マッピングデータを参照し、上記位置ずれ量推定部により推定された上記ずれ量だけシフトした上記印刷物上のページ領域を示すページ画像を、上記仮想生産物上のページ領域内にマッピングすることで上記仮想生産物を示すプレビュー画像データを作成する画像作成部とを備える。
【０００９】
このように、後加工処理に関する後加工情報に基づいて、印刷物に対する後加工処理の際に生じるページ領域毎の二次元位置のずれ量を推定する位置ずれ量推定部と、推定されたずれ量だけシフトした印刷物上のページ領域を示すページ画像を、仮想生産物上のページ領域内にマッピングすることで仮想生産物を示すプレビュー画像データを作成する画像作成部とを設けたので、ページ領域毎の二次元的な位置ずれとして仮想生産物の形態に適切に反映可能であり、後加工処理の際に生じる各ページ領域の位置ずれの程度を忠実に可視化できる。
【００１０】
また、上記画像作成部は、三次元形状モデルを用いて上記仮想生産物を可視化する上記プレビュー画像データを作成することが好ましい。
【００１１】
また、上記後加工情報には、上記用紙の紙厚及び上記印刷物の紙折り情報が含まれ、上記位置ずれ量推定部は、上記紙厚及び上記紙折り情報を用いて、上記印刷物の紙折り処理の際に生じる上記ずれ量を推定することが好ましい。
【００１２】
また、上記位置ずれ量推定部は、上記紙折り情報から特定される少なくとも１本の折り線を基準として、上記紙折り処理の際に位置が固定される固定側領域及び固定されない非固定側領域にそれぞれ区画し、上記非固定側領域に属する各ページ領域に蓄積される上記ずれ量を推定することが好ましい。
【００１３】
また、上記後加工情報には、上記印刷物の断裁情報が含まれ、上記位置ずれ推定部は、上記断裁情報を用いて、上記印刷物の断裁処理の際に生じる上記ずれ量を推定することが好ましい。
【００１４】
また、上記画像作成部は、ユーザによる指示操作に応じて、裁ち落とし領域が存在する又は存在しない上記仮想生産物を示す上記プレビュー画像データを作成することが好ましい。
【００１５】
また、上記画像作成部により作成された上記プレビュー画像データに基づいて、上記仮想生産物を表示する表示部を更に備えることが好ましい。
【００１６】
本発明に係る画像編集方法は、複数のページ領域を有する少なくとも１枚の印刷物に後加工処理を施し、得られる最終生産物を模擬した仮想生産物を可視化する画像編集装置を用いた方法であって、上記印刷物が形成される用紙上に面付けするための面付けデータ、及び、上記印刷物と上記仮想生産物との間のページ領域の対応関係を示すマッピングデータを取得する取得ステップと、取得された上記面付けデータに含まれる、上記後加工処理に関する後加工情報に基づいて、上記印刷物に対する上記後加工処理の際に生じるページ領域毎の二次元位置のずれ量を推定する推定ステップと、取得された上記マッピングデータを参照し、推定された上記ずれ量だけシフトした上記印刷物上のページ領域を示すページ画像を、上記仮想生産物上のページ領域内にマッピングすることで上記仮想生産物を示すプレビュー画像データを作成する作成ステップとを備える。
【００１７】
本発明に係るプログラムは、複数のページ領域を有する少なくとも１枚の印刷物に後加工処理を施し、得られる最終生産物を模擬した仮想生産物を可視化するためのプログラムであって、上記印刷物が形成される用紙上に面付けするための面付けデータ、及び、上記印刷物と上記仮想生産物との間のページ領域の対応関係を示すマッピングデータを取得する取得ステップと、取得された上記面付けデータに含まれる、上記後加工処理に関する後加工情報に基づいて、上記印刷物に対する上記後加工処理の際に生じるページ領域毎の二次元位置のずれ量を推定する推定ステップと、取得された上記マッピングデータを参照し、推定された上記ずれ量だけシフトした上記印刷物上のページ領域を示すページ画像を、上記仮想生産物上のページ領域内にマッピングすることで上記仮想生産物を示すプレビュー画像データを作成する作成ステップとをコンピュータに実行させる。
【発明の効果】
【００１８】
本発明に係る画像編集装置、方法及びプログラムによれば、後加工処理に関する後加工情報に基づいて、印刷物に対する後加工処理の際に生じるページ領域毎の二次元位置のずれ量を推定し、このずれ量だけシフトした印刷物上のページ領域を示すページ画像を、仮想生産物上のページ領域内にマッピングすることで仮想生産物を示すプレビュー画像データを作成するようにしたので、ページ領域毎の二次元的な位置ずれとして仮想生産物の形態に適切に反映可能であり、後加工処理の際に生じる各ページ領域の位置ずれの程度を忠実に可視化できる。
【図面の簡単な説明】
【００１９】
【図１】この実施形態に係る画像編集装置としてのＲＩＰ装置を組み込んだ印刷物生産システムの全体構成図である。
【図２】図１に示すＲＩＰ装置の電気的なブロック図である。
【図３】図１及び図２に示すＲＩＰ装置の動作説明に供されるフローチャートである。
【図４】図１に示す印刷物の概略正面図である。
【図５】図５Ａ〜図５Ｃは、紙折り処理の際に生じる位置ずれ量の推定モデルに関する概略説明図である。
【図６】図６Ａ〜図６Ｃは、印刷物の紙折り処理を模式的に示す第１の概略図である。
【図７】図７Ａ〜図７Ｃは、印刷物の紙折り処理を模式的に示す第２の概略図である。
【図８】図８Ａ及び図８Ｂは、印刷物の紙折り処理を模式的に示す第３の概略図である。
【図９】三次元形状モデルの一例を示す概略斜視図である。
【図１０】図１０Ａは、ページ画像の切り出し方法に関する概略説明図である。図１０Ｂは、ページ画像のマッピング方法に関する概略説明図である。
【図１１】図１１Ａ及び図１１Ｂは、仮想生産物の３Ｄプレビュー表示の画像図である。
【発明を実施するための形態】
【００２０】
以下、本発明に係る画像編集方法について、それを実施する画像編集装置及びプログラムとの関係において好適な実施形態を挙げ、添付の図面を参照しながら説明する。なお、本明細書において、画像を形成することを「印刷」又は「印字」という場合がある。
【００２１】
［印刷物生産システム１０の全体構成］
図１は、この実施形態に係る画像編集装置としてのＲＩＰ装置２０を組み込んだ印刷物生産システム１０の全体構成図である。
【００２２】
印刷物生産システム１０内には、ネットワーク１２との接続を中継する機器であるルータ１４と、外部ネットワークに属する図示しない各端末装置からネットワーク１２を介してアクセス可能なサーバ装置１６と、サーバ装置１６等から取得したコンテンツデータの編集等を含むＤＴＰ（Desktop Publishing）処理を行うためのＤＴＰ端末１８と、ＤＴＰ端末１８により処理されたコンテンツデータを面付けする面付け装置１９と、面付け装置１９により面付けされた製版データ（又は刷版データ）に基づいてラスタライズ処理や色変換処理等の各画像処理を実行するＲＩＰ装置２０（画像編集装置）と、ＲＩＰ装置２０から送信された処理済みの校正データに基づいてプルーフ２２を印刷可能である校正機２４と、ＲＩＰ装置２０から送信された製版データに基づいて刷版２６、２７を作製するプレートセッタ２８と、刷版２６、２７を装着して印刷物３０を印刷可能であるオフセット印刷機３２と、少なくとも１枚の印刷物３０に後加工処理を施して最終生産物ＦＰを得る後加工システム３４とがそれぞれ設けられている。
【００２３】
サーバ装置１６は、印刷物生産システム１０におけるワークフロー管理の中核をなす装置である。サーバ装置１６は、ルータ１４及びネットワーク１２を介して、デザイナ及び／又は制作会社（図示しない。）が備える各端末装置に通信可能に接続されている。また、サーバ装置１６は、印刷物生産システム１０内に構築されたＬＡＮ（Local Area Network）４２を介して、ＤＴＰ端末１８、面付け装置１９及びＲＩＰ装置２０に通信可能に接続されている。
【００２４】
すなわち、サーバ装置１６は、各種データファイルの格納・転送を司るファイルサーバとしての機能、各端末装置、各ユーザ、又は各印刷ジョブにおいて実行可能なタスク権限を管理する権限管理サーバとしての機能、又は、各工程の開始・終了等の所定のタイミングで通知メールを生成・配信するメールサーバとしての機能をそれぞれ実行可能に構成されている。なお、ファイルサーバとして管理可能な各種データファイルには、例えば、コンテンツデータ、校正データ、製版データ、ジョブチケット｛例えば、ＪＤＦ（Job Definition Format）ファイル｝、ＩＣＣ（International Color Consortium）プロファイル、色見本データ等が含まれる。
【００２５】
ＤＴＰ端末１８は、文字、図形、絵柄や写真等から構成されるコンテンツデータに対してプリフライト処理を施した後、ページ単位の画像データ（以下、ページ画像ともいう）を作成する。面付け装置１９は、ジョブチケットのタグ情報を参照しながら、指定された綴じ方法や紙折り方法に応じた面付け処理を行う。
【００２６】
ＲＩＰ装置２０は、少なくとも１種の印刷機に対する印刷処理サーバとして機能する。図１例では、ＲＩＰ装置２０は、校正機２４と、プレートセッタ２８とに通信可能に接続されている。この場合、ＲＩＰ装置２０は、ページ記述言語で記述されたＰＤＬ形式のデータ（以下、ページ記述データともいう）を各出力デバイスに適した印刷用データに変換し、該印刷用データを校正機２４又はプレートセッタ２８に供給する。
【００２７】
校正機２４は、ＲＩＰ装置２０から供給された印刷用データに基づいてプルーフ２２を印刷する。校正機２４として、ＤＤＣＰ（Direct Digital Color Proofing）、インクジェットカラープルーファ、低解像度のカラーレーザプリンタ（電子写真方式）又はインクジェットプリンタ等を用いてもよい。
【００２８】
オフセット印刷機３２は、刷版２６、２７及び図示しない中間転写体を介して、インキを用紙３６（印刷媒体）上の各主面に付着させることで、用紙３６の表面１００及び裏面１０１（図４）に画像が形成された印刷物３０を出力する。なお、オフセット印刷機３２に代替して、ダイレクト印刷のためのデジタル印刷機を設けてもよい。デジタル印刷機としては、インクジェット印刷機、ワイドフォーマット印刷機、インクジェットカラープルーファ、カラーレーザプリンタ（電子写真方式）等を用いてもよい。
【００２９】
後加工システム３４には、印刷物３０を折ることで折り丁を形成する紙折り機３８と、折り丁の不要部位（断ち代）を断裁し、又は、印刷物３０を複数の折り丁に断ち分けする断裁機４０とが設けられている。後加工システム３４の構成はこれに限られず、最終生産物ＦＰの形態に応じた各種装置、例えば、丁合い機、綴じ機、光沢付与機等を設けてもよい。
【００３０】
［ＲＩＰ装置２０の電気的なブロック図］
図２は、図１に示すＲＩＰ装置２０の電気的なブロック図である。ＲＩＰ装置２０は、制御部５０と、通信Ｉ／Ｆ５２と、表示制御部５４と、表示部５６と、入力部５８と、印刷Ｉ／Ｆ６０、６１と、メモリ６２（記憶媒体）とを備えるコンピュータである。
【００３１】
通信Ｉ／Ｆ５２は、外部装置からの電気信号を送受信するインターフェースである。例えば、サーバ装置１６（図１参照）内で管理・保存された製版データ、刷版データ、ジョブチケット、ＩＣＣプロファイル等の各種情報を取得可能である。
【００３２】
表示制御部５４は、制御部５０の制御に従って、表示部５６を駆動制御する制御回路である。表示制御部５４が、図示しないＩ／Ｆを介して、表示制御信号を表示部５６に出力することで、表示部５６が駆動する。これにより、表示部５６は、ウィンドウＷ（図１１Ａ及び図１１Ｂ参照）を含む各種画像を表示することができる。
【００３３】
印刷Ｉ／Ｆ６０、６１は、印刷用データとしての電気信号を送信するインターフェースである。印刷Ｉ／Ｆ６０により、校正機２４は、所望のプルーフ２２を印刷することができる。印刷Ｉ／Ｆ６１により、プレートセッタ２８は、所望の刷版２６、２７を作製することができる。
【００３４】
メモリ６２は、制御部５０が各構成要素を制御するのに必要なプログラム及びデータ等を記憶している。本図例では、後加工処理に関する情報（以下、後加工情報８２）を含む面付けデータ８４、及び印刷物３０と仮想生産物ＶＰとの間のページ領域（すなわち、位置）の対応関係を示すマッピングデータ８６が格納されている。
【００３５】
メモリ６２は、非一過性であり、且つ、コンピュータ読み取り可能な記憶媒体で構成されてもよい。ここで、コンピュータ読み取り可能な記憶媒体は、光磁気ディスク、ＲＯＭ、ＣＤ−ＲＯＭ、フラッシュメモリ等の可搬媒体、コンピュータシステムに内蔵されるハードディスク等の記憶装置である。また、この記憶媒体は、短時間に且つ動的にプログラムを保持するものであっても、一定時間プログラムを保持するものであってもよい。
【００３６】
制御部５０は、ＣＰＵ（Central Processing Unit）等のプロセッサによって構成されている。制御部５０は、メモリ６２に格納されたプログラムを読み出し実行することで、プレビュー処理部６４、表示用データ作成部６６、面付けデータ作成部６８及びラスタライズ処理部７０の各機能を実現可能である。
【００３７】
プレビュー処理部６４は、最終生産物ＦＰの生産に供される各種データ等に基づき、最終生産物ＦＰを模擬した仮想生産物ＶＰ（図１１Ａ及び図１１Ｂ）を示すプレビュー画像データを作成する。
【００３８】
具体的には、プレビュー処理部６４は、面付けデータ８４及びマッピングデータ８６を含む各種データを取得するデータ取得部７２と、印刷物３０に対する後加工処理の際に生じるページ領域１０８（図４参照）毎の二次元位置のずれ量を推定する位置ずれ量推定部７４と、ページ単位の画像（以下、ページ画像１７０；図１０Ｂ参照）を切り出すページ画像切出部７６と、仮想生産物ＶＰを示すプレビュー画像データを作成する画像作成部７８とを備える。
【００３９】
表示用データ作成部６６は、仮想生産物ＶＰを含むウィンドウＷ（図１１Ａ及び図１１Ｂ参照）を表示部５６に表示させるための表示用データを作成する。面付けデータ作成部６８は、用紙３６又は刷版２６、２７上に複数のコンテンツ画像を配置するための面付けデータ８４を作成する。
【００４０】
ラスタライズ処理部７０は、面付け処理が完了したページ記述データに対してラスタライズ処理を実行する。このラスタライズ処理には、ＰＤＬ形式からラスタ形式に変換するデータ形式変換処理と、ＩＣＣプロファイルを用いたカラーマッチング処理とが含まれる。
【００４１】
入力部５８は、マウス、トラックボール、キーボード等の種々の入力デバイスで構成される。表示部５６による表示機能及び入力部５８による入力機能を組み合わせることでユーザ・インターフェースを実現する。この場合、入力部５８は、仮想生産物ＶＰの表示形態又は状態を指示する表示形態指示部８０として機能する。
【００４２】
［ＲＩＰ装置２０の動作］
本実施形態に係る画像編集装置としてのＲＩＰ装置２０は、以上のように構成される。続いて、ＲＩＰ装置２０の動作について、図３のフローチャートを参照しながら詳細に説明する。
【００４３】
ユーザとしての作業者は、通常、図１に示す校正機２４を用いてプルーフ２２を印刷した上で校正作業を行う。この実施形態では、プルーフ２２を印刷する代わりに、最終生産物ＦＰの形態を模擬した仮想生産物ＶＰを可視化・表示する。
【００４４】
ステップＳ１において、データ取得部７２は、校正対象である仮想生産物ＶＰを可視化するための各種データ、より詳細には、コンテンツデータ、面付けデータ８４（後加工情報８２を含む）、マッピングデータ８６等を取得する。後加工情報８２には、後加工処理に関する各種情報、例えば、用紙情報（用紙３６の種類・紙厚等）、紙折り情報、断裁情報等が含まれてもよい。
【００４５】
紙折り情報として、例えば、紙折りの位置・姿勢・順序・種類（山又は谷）、紙折り時の位置決め情報、紙折り機３８に固有の加工精度が挙げられる。断裁情報として、例えば、断裁の位置・姿勢・順序、断裁時の位置決め情報、断裁機４０に固有の加工精度が挙げられる。
【００４６】
図４は、図１に示す印刷物３０の概略正面図であり、面付けデータ８４の内容から特定される描画形態に相当する。
【００４７】
用紙３６の表面１００及び裏面１０１上には、８ページ分の台割りを表す版面１０２、及び、見当を合わせるための２種類のトンボ１０４、１０６がそれぞれ印刷されている。各面の版面１０２には、同じサイズである８つ（４対）のページ領域１０８が含まれている。この印刷物３０に対して、（１）Ｉ−Ｉ線に沿った谷折り、（２）ＩＩ−ＩＩ線に沿った谷折り、及び（３）ＩＩＩ−ＩＩＩ線に沿った谷折りを順次施すことで、各ページが正しい順番で配置された１６ページ単位の折り丁が１つ形成される。
【００４８】
ステップＳ２において、位置ずれ量推定部７４は、ステップＳ１で取得された後加工情報８２に基づいて、印刷物３０に対する後加工処理の際に生じる二次元位置のずれ量（以下、位置ずれ量ともいう）をページ領域１０８毎に推定する。後加工処理として、紙折り処理、丁合い処理、綴じ処理、断裁処理等を含む種々の加工処理を考慮することができる。以下、紙折り処理の際に生じる具体的な推定方法について、図５Ａ〜図８Ｂを参照しながら詳細に説明する。
【００４９】
図５Ａ〜図５Ｃは、紙折り処理の際に生じる位置ずれ量の推定モデルに関する概略説明図である。ここでは、一辺の長さが４Ａ、紙厚がｄである印刷済み用紙１１０を順次折り畳むことを想定する。各図において、説明の便宜のため、実際よりも印刷済み用紙１１０の厚さ方向を誇張して示している。
【００５０】
図５Ａに示すように、印刷済み用紙１１０の一端部１１２側を固定しつつ中央部１１４を矢印Ｈ方向に押さえた状態下に、他端部１１６を矢印Ｆ方向に沿って移動させる。その結果、図５Ｂに示すように、折曲部１１８を有する第１中間物１２０が形成される。
【００５１】
第１中間物１２０の一端部１１２の位置は、理想的には、他端部１１６の位置に一致する。しかし、実際には、紙厚中心を基準にすると、折曲部１１８にて、紙厚ｄを直径とする半円弧だけ長さの損失が発生する。これにより、他端部１１６の実際の位置は、一端部１１２を基準として、ずれ量（πｄ／２）だけ折曲部１１８側にずれている。
【００５２】
続いて、第１中間物１２０の一端部１１２側を固定しつつ中央部１２２を矢印Ｈ方向に押さえた状態下に、折曲部１１８を矢印Ｆ方向に沿って移動させる。その結果、図５Ｃに示すように、折曲部１２４を有する第２中間物１２６が形成される。
【００５３】
第２中間物１２６の一端部１１２の位置は、理想的には、折曲部１１８の位置に一致する。しかし、実際には、折曲部１２４にて、２枚分の紙厚ｄ（すなわち、２ｄ）を直径とする半円弧だけ長さの損失が発生する。これにより、折曲部１１８の実際の位置は、一端部１１２を基準として、ずれ量（πｄ）だけ折曲部１２４側にずれている。このように、後加工情報８２としての紙折り情報から特定される少なくとも１本の折り線を基準として、紙折り処理の際に位置が固定される固定側領域及び固定されない非固定側領域にそれぞれ区画し、非固定側領域に属する各ページ領域１０８に蓄積される位置ずれ量を推定できる。
【００５４】
そして、上記した推定モデルを二次元的に拡張することで、ページ領域１０８毎の位置ずれ量（ΔＸ，ΔＹ）を高精度に推定できる。以下、図４に例示する印刷物３０から形成される折り丁の形態に従って、図６Ａ〜図８Ｂを参照しながら具体的に説明する。
【００５５】
例えば、印刷物３０（図４）における表面１００側の左上隅を基準点として、長手方向をＸ軸、短手方向をＹ軸として定義する。この場合、Ｘ軸の正方向は、裏面１０１側にあるフロントページ領域１３０（図６Ａ等参照）の右側から左側に向かう方向に対応する。また、Ｙ軸の正方向は、フロントページ領域１３０の上側から下側に向かう方向に対応する。
【００５６】
図６Ａに示すように、紙折り機３８は、固定側領域１３２にて位置決めした状態下に、折り線１３４に沿って矢印Ｆ１方向に谷折りすることで、印刷物３０を半分に折る。この場合、破線で図示する非固定側領域１３６に属する各ページ領域１０８の位置ずれ量を更新する。より詳細には、位置ずれ量推定部７４は、更新対象である４つずつ（両面で８つ）のページ領域１０８の位置ずれ量として、Ｘ軸成分を（ｋ・πｄ／２）だけ加算する。ここで、ｋは、用紙３６の種類に依存する正値の定数であり、理論的にはｋ＝１である。
【００５７】
ところで、一般的な機能を有する紙折り機３８の場合、紙折り機構の位置は固定されている。そのため、紙折り処理を施す前に印刷物３０の位置・姿勢を適切に変更し、折りの向き（すなわち、折り線）を一定方向に揃える必要がある。
【００５８】
図６Ｂに示すように、紙折り機３８は、二つ折りされた印刷物３０（以下、二つ折り印刷物３０ａという）を、矢印Ｒ１方向に沿って９０度回転させる。図６Ｃから理解されるように、二つ折り印刷物３０ａの向きの変更に伴って、位置ずれが発生する向き（Ｘ軸、Ｙ軸）も変化する点に留意する。
【００５９】
図７Ａに示すように、紙折り機３８は、固定側領域１３８にて位置決めした状態下に、折り線１４０に沿って矢印Ｆ２方向に谷折りすることで、二つ折り印刷物３０ａを半分に折る。この場合、破線で図示する非固定側領域１４２に属する各ページ領域１０８の位置ずれ量を更新する。より詳細には、位置ずれ量推定部７４は、更新対象である２つずつ（両面で４つ）のページ領域１０８の位置ずれ量として、Ｙ軸成分を（ｋ・πｄ）だけ加算する。
【００６０】
図７Ｂに示すように、紙折り機３８は、二つ折りされた二つ折り印刷物３０ａ（以下、四つ折り印刷物３０ｂという）を、矢印Ｒ２方向に沿って９０度回転させる。図７Ｃから理解されるように、四つ折り印刷物３０ｂの向きの変更に伴って、位置ずれが発生する向き（Ｘ軸、Ｙ軸）も変化する点に留意する。
【００６１】
図８Ａに示すように、紙折り機３８は、固定側領域１４４にて位置決めした状態下に、折り線１４６に沿って矢印Ｆ３方向に谷折りすることで、四つ折り印刷物３０ｂを半分に折る。これにより、八つ折りの印刷物３０、すなわち折り丁３０ｃが形成される。
【００６２】
図８Ｂから理解されるように、基準点を含むフロントページ領域１３０の反転と併せて、位置ずれが発生する向き（Ｘ軸）も変化する点に留意する。この場合、破線で図示する非固定側領域１４８に属する各ページ領域１０８の位置ずれ量を更新する。より詳細には、位置ずれ量推定部７４は、更新対象である１つずつ（両面で２つ）のページ領域１０８の位置ずれ量として、Ｘ軸成分を（ｋ・２πｄ）だけ加算する。
【００６３】
このようにして、位置ずれ量推定部７４は、ページ領域１０８毎に、Ｘ軸、Ｙ軸方向の位置ずれ量（ΔＸ，ΔＹ）を推定する（ステップＳ２）。なお、推定方法は、上記した方法に限られず、種々の推定モデルを適用できることは言うまでもない。また、位置ずれ量推定部７４は、この計算上の推定と併せて又はこれとは別に、実測値に基づく推定を行ってもよい。例えば、紙折り機３８又は断裁機４０に固有の加工精度に基づいて位置ずれ量（ΔＸ，ΔＹ）を推定してもよい。
【００６４】
ステップＳ３において、ページ画像切出部７６は、後述するテキスチャマッピング処理に供されるページ画像１７０をそれぞれ切り出す。この処理に先立ち、最終生産物ＦＰの形態に応じて三次元形状モデル１６０が予め決定される。
【００６５】
図９は、三次元形状モデル１６０の一例を示す概略斜視図である。この三次元形状モデル１６０は、複数の折り丁３０ｃを重ねた本の三次元形状を表現する。なお、このモデル化に際し、用紙３６の撓み具合、光沢等の物理特性を反映させてもよい。
【００６６】
一方、ラスタライズ処理部７０は、図示しないコンテンツ画像及び面付けデータ８４を用いて、実際の印刷用データと同一の又はこれに類する校正用データ１６２を作成する。そして、ページ画像切出部７６は、ステップＳ２で推定された位置ずれ量（ΔＸ，ΔＹ）を考慮して、ページ領域１０８（図４）に対応するページ画像１７０を切り出す。
【００６７】
図１０Ａは、ページ画像１７０の切り出し方法に関する概略説明図である。本図では、校正用データ１６２の一部として、トンボ１０４（図４）に対応するトンボ１６４が表記されている。破線で示す矩形枠は、トンボ１６４等により一意に決定される理想的なページ領域（以下、シフト前ページ領域１６６という）である。これに対して、実線で示す矩形枠は、シフト前ページ領域１６６の位置に対して、Ｘ軸方向にΔＸだけ、Ｙ軸方向にΔＹだけそれぞれシフトしたページ領域（以下、シフト後ページ領域１６８）である。
【００６８】
ページ画像切出部７６は、校正用データ１６２の中から、シフト後ページ領域１６８内の画像を切り出すことでページ画像１７０を得る。ここで、表示対象となり得るすべてのページ画像１７０を予め取得してもよいし、現在の表示対象のページ番号及びその周辺のページ画像１７０を適時取得してもよい。
【００６９】
ステップＳ４において、画像作成部７８は、マッピングデータ８６を参照し、ステップＳ３で切り出されたページ画像１７０を、仮想生産物ＶＰ上のページ領域（以下、仮想ページ領域１７２）内にマッピングすることで、プレビュー画像データを作成する。
【００７０】
図１０Ｂは、ページ画像１７０のマッピング方法に関する概略説明図である。本図例の仮想ページ領域１７２は、１枚のページが捲られる途中の形状を斜視的に示している。画像作成部７８は、テキスチャマッピングに関する公知の手法を用いて、矩形状のページ画像１７０の一部（可視領域１７４）を、仮想ページ領域１７２内にマッピングする。なお、ページ画像１７０のうちハッチングを付した領域は、その表示形態にて仮想生産物ＶＰ上で表現されない非可視領域１７６である。
【００７１】
ステップＳ５において、ＲＩＰ装置２０は、ステップＳ４で作成されたプレビュー画像データに基づいて、仮想生産物ＶＰの３Ｄプレビュー表示を行う。表示に先立ち、表示用データ作成部６６は、プレビュー画面１８０（図１１Ａ等参照）の表示用データを作成した後、該表示用データを表示制御部５４に供給する。そして、表示制御部５４は、ウィンドウＷ（プレビュー画面１８０を含む）を表示部５６に表示させる。
【００７２】
図１１Ａに示すように、プレビュー画面１８０上には、最終生産物ＦＰを模擬した仮想生産物ＶＰと、仮想生産物ＶＰの表示に関する設定を変更可能なアイコン群１８２とが配置されている。仮想生産物ＶＰは、１枚のページ１８４が捲られる途中の形状を斜視的に表現している。
【００７３】
ステップＳ６において、制御部５０は、プレビュー表示を終了する旨の指示があったか否かを判定する。指示がなかったと判定された場合（ステップＳ６：ＮＯ）、次のステップＳ７に進む。
【００７４】
ステップＳ７において、プレビュー処理部６４は、表示形態指示部８０から、仮想生産物ＶＰの現在の表示形態を示す状態変数（以下、表示状態変数）を取得する。表示状態変数として、三次元コンピュータグラフィックス（３ＤＣＧ；3-Dimensional Computer Graphics）で表示するための種々の変数を採用してもよく、例えば、仮想生産物ＶＰの観察態様（表示倍率や位置・姿勢等）、物理特性（紙厚や光沢度等）、表示対象であるページ番号等が挙げられる。
【００７５】
その後、ステップＳ４に戻って、以下、ステップＳ４〜Ｓ７を順次実行する。これにより、作業者による入力部５８での操作に追従して、仮想生産物ＶＰの形態を即時に変化させることができる。
【００７６】
例えば、図１１Ａのプレビュー画面１８０上にポインタ１８６が存在する状態下で、作業者は、入力部５８を介した所定の操作、例えば、キーボードの所定キーの押下操作と併せて、マウスのドラッグ操作（Ａ方向）を行う。そうすると、図１１Ｂに示すように、プレビュー画面１８０上には、ページ１８４が左側から右側に所定量だけ捲られた仮想生産物ＶＰが表示される。なお、ページ１８４の捲り動作に限られず、仮想生産物ＶＰの回転、反転、拡縮表示、展開、再構成等を含む種々の動作を再現させてもよい。
【００７７】
また、仮想生産物ＶＰに裁ち落とし領域を併せて表示させるか否かを選択可能に設けてもよい。この場合、画像作成部７８は、作業者による指示操作に応じて、裁ち落とし領域を含む又は含まない各ページ画像１７０を取得し、仮想生産物ＶＰを作成する。これにより、作業者の嗜好に応じた描画内容を確認することができる。裁ち落とし領域として、例えば、トリム（仕上がり）、ブリード（裁ち代）やクリープ（中綴じの際、各折本の用紙３６の厚みと折りに必要なスペース）等が挙げられる。
【００７８】
一方、ステップＳ６に戻って、プレビュー表示を終了する旨の指示があったと判定された場合（ステップＳ６：ＹＥＳ）、ＲＩＰ装置２０は、最終生産物ＶＰの可視化・表示を終了する。
【００７９】
［本発明の効果］
以上のように、この実施形態に係るＲＩＰ装置２０は、印刷物３０が形成される用紙３６上に面付けするための面付けデータ８４、及び、印刷物３０と仮想生産物ＶＰとの間のページ領域（１０８、１７２）の対応関係を示すマッピングデータ８６を取得するデータ取得部７２と、面付けデータ８４に含まれる、後加工処理に関する後加工情報８２に基づいて、印刷物３０に対する後加工処理の際に生じるページ領域１０８毎の二次元的な位置ずれ量（ΔＸ，ΔＹ）を推定する位置ずれ量推定部７４と、マッピングデータ８６を参照し、位置ずれ量（ΔＸ，ΔＹ）だけシフトした印刷物３０上のページ領域（シフト後ページ領域１６８）を示すページ画像１７０を、仮想生産物ＶＰ上のページ領域（仮想ページ領域１７２）内にマッピングすることで仮想生産物ＶＰを示すプレビュー画像データを作成する画像作成部７８と、を備える。
【００８０】
このように構成したので、ページ領域１０８毎の二次元的な位置ずれとして仮想生産物ＶＰの形態に適切に反映可能であり、後加工処理の際に生じる各ページ領域１０８の位置ずれの程度を忠実に可視化できる。
【００８１】
なお、この発明は、上述した実施形態に限定されるものではなく、この発明の主旨を逸脱しない範囲で自由に変更できることは勿論である。
【００８２】
例えば、この実施形態では、仮想生産物ＶＰの表現形態として３ＤＣＧを適用しているが、プレビュー画像の種別はこれに限られない。例えば、各ページ領域１０８（図４）を平面視で示す二次元画像であってもよいし、並置方式、画像分離方式、視差分割方式、偏光表示方式等の各方式を採用した立体視画像であってもよい。
【符号の説明】
【００８３】
１０…印刷物生産システム                  ２０…ＲＩＰ装置
３０、３０ａ、３０ｂ…印刷物              ３２…オフセット印刷機
３４…後加工システム                      ３６…用紙
３８…紙折り機                            ４０…断裁機
５０…制御部                              ５６…表示部
６２…メモリ                              ６４…プレビュー処理部
７２…データ取得部                        ７４…位置ずれ量推定部
７８…画像作成部                          ８２…後加工情報
８４…面付けデータ                        ８６…マッピングデータ
１０８…ページ領域                        １３２、１３８、１４４…固定側領域
１３４、１４０、１４６…折り線            １３６、１４２、１４８…非固定側領域
１６６…シフト前ページ領域                １６８…シフト後ページ領域
１７０…ページ画像                        １７２…仮想ページ領域
ＦＰ…最終生産物                          ＶＰ…仮想生産物
【図１】
2014191592.tif 000003
【図２】
2014191592.tif 000004
【図３】
2014191592.tif 000005
【図４】
2014191592.tif 000006
【図５】
2014191592.tif 000007
【図６】
2014191592.tif 000008
【図７】
2014191592.tif 000009
【図８】
2014191592.tif 000010
【図９】
2014191592.tif 000011
【図１０】
2014191592.tif 000012
【図１１】
2014191592.tif 000013